(57)【要約】      （修正有）【課題】狭い空間でも設置でき、近接時には目地プレートの破損を防止できるとともに、離間時にも脱落せず、地震で異なる前後方向に大きく揺れ動いても、その揺れ動きをスムーズに吸収することができ、揺れ動きが停止すると自動的に元の状態に復帰可能な天井用目地装置を提供する。【解決手段】目地部２を介して設けられた左右の建物３にそれぞれ設けられた天井躯体４と、天井躯体４に設けられた一対の支持梁５と、一対の支持梁５に支持される複数個の目地プレート保持装置６と、目地プレート保持装置６に吊り下げられ、前記天井躯体間の目地部を塞ぐことができる天井目地プレート７からなる天井用目地装置１であって、目地プレート保持装置６は伸縮機構８を有するアーム９と、アーム９の両端に設けられたスライド部材１０で天井用目地装置を構成する。【選択図】図１
2016132962.tif 000002
【特許請求の範囲】
【請求項１】
目地部を介して設けられた左右の建物にそれぞれ設けられた天井躯体と、該天井躯体に設けられた一対の支持梁と、該一対の支持梁に支持される複数個の目地プレート保持装置と、該目地プレート保持装置に吊り下げられ、前記天井躯体間の目地部を塞ぐことができる天井目地プレートからなる天井用目地装置であって、前記目地プレート保持装置は伸縮機構を有するアームと、該アームの両端に設けられたスライド部材と、前記アームの中央下部に設けられた、地震によって目地部が狭くなる方向に揺れ動いた際に前記支持梁によってアームを上方へ移動させる、ガイド片と、天井目地プレートを吊り下げる吊り下げ具より構成されていることを特徴とする天井用目地装置。
【請求項２】
前記アームは、パイプ状のアーム本体と、該アーム本体に挿入されたロッドと、該ロッドを外方へ付勢する付勢手段とより構成されていることを特徴とする請求項１記載の天井用目地装置。
【請求項３】
前記アームは、アーム本体と、該アーム本体の両端部に設けられたパンタグラフ状の伸縮機構とで構成されていることを特徴とする請求項１記載の天井用目地装置。
【請求項４】
前記アームは、リップ溝形状のアーム本体と、該アーム本体に挿入され、底面が前記アーム本体の底面と同一面となるロッドと、該ロッドを外方へ付勢する付勢手段とより構成されていることを特徴とする請求項１記載の天井用目地装置。
【発明の詳細な説明】
【技術分野】
【０００１】
本発明は目地部を介して設けられた左右の建物間に天井を設ける場合の天井用目地装置に関する。
【背景技術】
【０００２】
従来、この種の天井用目地装置は左右の建物間の目地部が地震等によって狭くなるように揺れ動いた場合には、目地天井仕上材押し上げ部を有する目地天井仕上材支持機構によって、目地プレートを上方へ押し上げて目地プレートの破損を防止するとともに、その揺れ動きを吸収するように構成されている（特許文献１参照）。
【０００３】
しかし、特許文献１の構成の天井用目地装置は、目地部よりも長尺のアームを用いるものであり、建物間の距離が短い場所には設置できない欠点があった。
【先行技術文献】
【特許文献】
【０００４】
【特許文献１】特許第３６１１５３６号公報
【発明の概要】
【発明が解決しようとする課題】
【０００５】
本発明は以上のような従来の欠点に鑑み、狭い空間でも設置でき、近接時には目地プレートの破損を防止できるとともに、離間時にも脱落せず、地震で異なる前後方向に大きく揺れ動いても、その揺れ動きをスムーズに吸収することができ、揺れ動きが停止すると自動的に元の状態に復帰可能な天井用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の建物にそれぞれ設けられた天井躯体と、該天井躯体に設けられた一対の支持梁と、該一対の支持梁に支持される複数個の目地プレート保持装置と、該目地プレート保持装置に吊り下げられ、前記天井躯体間の目地部を塞ぐことができる天井目地プレートからなる天井用目地装置であって、前記目地プレート保持装置は伸縮機構を有するアームと、該アームの両端に設けられたスライド部材と、前記アームの中央下部に設けられた、地震によって目地部が狭くなる方向に揺れ動いた際に前記支持梁によってアームを上方へ移動させる、ガイド片と、天井目地プレートを吊り下げる吊り下げ具で天井用目地装置を構成している。
【発明の効果】
【０００８】
以上の説明から明らかなように、本発明にあっては次に列挙する効果が得られる。
（１）請求項１の発明においては、伸縮機構を有するアームを用いて目地プレート保持装置を構成することにより、建物間の距離が短い目地部においても設置することができる。
（２）ガイド片および支持梁によって、地震により目地部が狭くなる方向に揺れ動いた際には、アームおよび天井目地プレートを上方へ押し上げて、天井目地プレートおよび天井躯体の破損を防止することができる。
（３）伸縮機構を有するアームの先端部分には、スライド部材が設けられているので、目地部が狭くなり、ガイド片および支持梁によってアームおよび天井目地プレートが上方へ押し上げられた際に、スムーズに上方へ移動させることができる。
したがって、建物の外壁や、天井目地プレート又は天井躯体に無理な力がかかり破損することを防止することができる。
（４）目地プレート保持装置は躯体に固定されておらず、支持梁に支持されているだけなので、地震による揺れ動きが治まり、目地部が元の位置に戻った時には、目地プレート保持装置および天井目地プレートは自重により自動的に元の位置に復帰することができる。
（５）請求項２の発明も前記（１）〜（４）と同様な効果が得られる。
（６）請求項３の発明も前記（１）〜（４）と同様な効果が得られる。
（７）請求項４の発明も前記（１）〜（４）と同様な効果が得られるとともに、アーム本体とロッドの底面が同一面となっているので、目地部が広がる方向に揺れ動いた時に、支持梁がアーム本体からロッドへ移動する際のガタツキを防止することができる。
【図面の簡単な説明】
【０００９】
【図１】本発明を実施するための第１の形態の平面図。
【図２】本発明を実施するための第１の形態の底面図。
【図３】図１の３−３線に沿う断面図。
【図４】本発明を実施するための第１の形態の目地プレート保持装置の説明図。
【図５】本発明を実施するための第１の形態の目地プレートの説明図。
【図６】本発明を実施するための第１の地震で目地部が狭くなった状態の動作説明図。
【図７】本発明を実施するための第１の地震で目地部が広くなった状態の動作説明図。
【図８】本発明を実施するための第１の地震で建物が異なる前後方向に揺れ動いた場合の動作説明図。
【図９】本発明を実施するための第２の形態の平面図。
【図１０】図９の１０−１０線に沿う断面図。
【図１１】本発明を実施するための第２の形態の伸縮機構の説明図。
【図１２】本発明を実施するための第２の地震で目地部が狭くなった状態の動作説明図。
【図１３】本発明を実施するための第３の形態の平面図。
【図１４】図１３の１４−１４線に沿う断面図。
【図１５】本発明を実施するための第３の形態の目地プレートの説明図。
【図１６】本発明を実施するための第３の地震で目地部が狭くなった状態の動作説明図。
【図１７】本発明を実施するための第４の形態の平面図。
【図１８】図１７の１８−１８線に沿う断面図。
【図１９】本発明を実施するための第４の形態の目地プレート保持装置の説明図。
【図２０】図１９の２０−２０線に沿う断面図。
【発明を実施するための形態】
【００１０】
以下、図面に示す本発明を実施するための形態により、本発明を詳細に説明する。
【００１１】
図１ないし図７に示す本発明を実施するための第１の形態において、１は目地部２を介して設けられた左右の建物３、３間に設置された天井用目地装置で、この天井用目地装置１は目地部２を介して設けられた左右の建物３、３にそれぞれ設けられた天井躯体４、４と、該天井躯体４、４に設けられた一対の支持梁５、５と、該一対の支持梁５、５に支持される複数個の目地プレート保持装置６、６と、該目地プレート保持装置に吊り下げられ、前記天井躯体間の目地部を塞ぐことができる天井目地プレート７より構成されている。
【００１２】
ここで、前記目地プレート保持装置６は、伸縮機構８を有するアーム９と、該アーム９の両端に設けられたスライド部材１０と、前記アーム９の中央下部に設けられた、地震によって目地部が狭くなる方向に揺れ動いた際に前記支持梁によってアームを上方へ移動させる、ガイド片１１と、天井目地プレート７を吊り下げる吊り下げ具１２より構成されている。
【００１３】
前記天井躯体４、４は左右の建物３、３の天井３ａ、３ａの端部に目地部２に突出するように形成されており、先端部には目地部が狭くなった際に天井目地プレート７が乗り上げる傾斜面１３、１３が形成されている。
【００１４】
前記支持梁５は、天井躯体４の前後方向の壁面３ｂ、３ｂに螺着や接着等で固定される固定部１４、１４と、該固定部１４、１４の間に設けられた梁本体１５とで構成されており、略コ字状の形状に形成されている。
【００１５】
前記天井目地プレート７は、平面視長方形状のプレートで、両側面には前記天井躯体３、３の傾斜面１３、１３にスムーズに乗り上げることができるように対応する傾斜面１６、１６が形成されており、天井目地プレート７の断面形状は、略逆台形状となっている。
【００１６】
前記アーム９は、角パイプ状のアーム本体１７と、該アーム本体１７に挿入された角柱状のロッド１８と、該ロッド１８を外方へ付勢するコイルバネからなる付勢手段１９とで構成されている。
【００１７】
なお、前記ロッド１８が角パイプ状のアーム本体１７によりシリンダのような伸縮機構８を構成しており、前記ロッド１８の先端にはスライド部材１０としてローラーが設けられている。前記ロッド１８の先端のローラーは付勢手段１９により常時左右の建物３、３の壁面３ｃ、３ｃに当接するように付勢されている。前記ロッド１８は角パイプ状のアーム本体１７から脱落を防止するためのストッパー（図示せず）が設けられている。また、付勢手段１９としては、コイルバネを用いてロッド１８を付勢するものや、空気圧や油圧でロッド１８を付勢する構造のものが考えられる。
【００１８】
前記ガイド片１１は、前記アーム本体１７の中央下部に固定されていて、形状は正面視において略逆台形状になるように傾斜面２０が形成されている。このガイド片とアーム本体とで成す角の部分には、通常時においては支持梁５の梁本体１５が位置するようにガイド片１１を形成している。なお、本実施の形態においては前記吊り下げ具１２は該ガイド片１１の底面に固定されている。
【００１９】
地震で左右の建物３、３が揺れ動き、目地部２が狭くなると、図６に示すように支持梁５の梁本体１５がアーム９に取り付けられたガイド片１１を傾斜面２０に沿って上方に押し上げる。この作用によりアーム９およびアーム９に吊り下げ具１２を介して取り付けられている天井目地プレート７も上方に持ち上げられ、天井目地プレート７が天井躯体４、４に挟まれて破損することなく揺れ動きを吸収する。
【００２０】
また、アーム７は伸縮機構８によりロッド１８が付勢手段１９の付勢力に抗してアーム本体１７の内部へ入り込み収縮するとともに、ロッド１８の先端に設けられたスライド部材１０により左右の建物３、３の壁面３ｃ、３ｃを上方へスムーズに移動する。
【００２１】
地震での揺れ動きが停止すると、自重により天井目地プレート７、アーム７は元の位置に自動的に復帰し、伸縮機構８によりアーム７も元の状態へ自動的に戻る。
【００２２】
地震で左右の建物３、３が揺れ動き目地部２が広くなると、図７に示すように天井躯体４、４が天井目地プレート１２から離れる方向に動き、支持梁５はアーム７の下部を左右方向にスライド移動して、その揺れ動きを吸収する。この時アーム７が支持梁５から脱落しないように、ロッド１８の先端部付近の下部に脱落防止片２１を形成するとよい。
【００２３】
地震で左右の建物３、３が異なる前後方向に揺れ動いた場合には、図８に示すように、支持梁５はアーム７の下部を前後方向にスライド移動して、その揺れ動きを吸収する。
【００２４】
［発明を実施するための異なる形態］
次に、図９ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２５】
図９ないし図１２に示す本発明を実施するための第２の形態において、前記本発明を実施するための第１の形態と主に異なる点は、アーム本体１７の両端部にパンタグラフ状の伸縮機構８Ａを設けたアーム９Ａを用いた目地プレート保持装置６Ａにした点で、このような天井用目地装置１Ａ前記本発明を実施するための第１の形態と同様な作用効果が得られる。
【００２６】
なお、伸縮機構８Ａは、パンタグラフ状のリンク機構２２と、該リンク機構２２を常時左右に広がる方向に付勢するコイルバネ２３と、前記リンク機構２２が一定以上の幅に広がらないように設けられたワイヤー２４と、前記リンク機構２２の建物側の先端部分に設けられたスライド部材１０Ａとしての滑り材で構成されている
図１３ないし図１６に示す本発明を実施するための第３の形態において、前記本発明を実施するための第１の形態と主に異なる点は、天井躯体４、４の傾斜面と当接する部位を傾斜面に形成せず、Ｒ面取り処理をした天井目地プレート７Ａを用いた点で、このような天井用目地装置１Ｂにしても、前記本発明を実施するための第１の形態と同様な作用効果が得られる。
【００２７】
図１７ないし図２０に示す本発明を実施するための第４の形態において、前記本発明を実施するための第１の形態と主に異なる点は、リップ溝形状のアーム本体１７Ａと、該アーム本体１７Ａに挿入され、底面が前記アーム本体の底面と同一面となるロッド１８Ａと、該ロッド１８Ａを外方へ付勢する付勢手段１９と、前記ロッド１８Ａをスムーズにスライドさせるローラー２５とで構成されるアーム９Ｂを用いた目地プレート保持装置６Ｂにした点で、このような目地プレート保持装置６Ｂを用いた天井用目地装置１Ｃにしても、前記本発明を実施するための第１の形態と同様な作用効果が得られる。
【産業上の利用可能性】
【００２８】
本発明は天井用目地装置を製造する産業で利用される。
【符号の説明】
【００２９】
１、１Ａ、１Ｂ、１Ｃ：天井用目地装置、
２：目地部、                    ３：建物、
４：天井躯体、                  ５：支持梁、  
６、６Ａ、６Ｂ：目地プレート保持装置、
７、７Ａ：天井目地プレート、
８、８Ａ：伸縮機構、            ９、９Ａ、９Ｂ：アーム、
１０、１０Ａ：スライド部材、    １１：ガイド片、
１２：吊り下げ具、              １３：傾斜面、
１４：固定部、                  １５：梁本体、
１６：傾斜面、                  １７、１７Ａ：アーム本体、
１８、１８Ａ：ロッド、          １９：付勢手段、
２０：傾斜面、                  ２１：脱落防止片、
２２：リンク機構、              ２３：コイルバネ、
２４：ワイヤー、                ２５：ローラー。
【図１】
2016132962.tif 000003
【図２】
2016132962.tif 000004
【図３】
2016132962.tif 000005
【図４】
2016132962.tif 000006
【図５】
2016132962.tif 000007
【図６】
2016132962.tif 000008
【図７】
2016132962.tif 000009
【図８】
2016132962.tif 000010
【図９】
2016132962.tif 000011
【図１０】
2016132962.tif 000012
【図１１】
2016132962.tif 000013
【図１２】
2016132962.tif 000014
【図１３】
2016132962.tif 000015
【図１４】
2016132962.tif 000016
【図１５】
2016132962.tif 000017
【図１６】
2016132962.tif 000018
【図１７】
2016132962.tif 000019
【図１８】
2016132962.tif 000020
【図１９】
2016132962.tif 000021
【図２０】
2016132962.tif 000022